(57)【特許請求の範囲】
【請求項１】
構造（２０）内の開口部（１９）に機器（１２）を取り付ける取付装置（１）であって、
外側スリーブ（２）と、
前記外側スリーブの内部に配置された内側スリーブ（３）と、
前記外側スリーブの内部に配置された調節リング（４）と
を備え、
前記外側スリーブは、第１の端部（９）と第２の端部（１０）とを有し、前記第１の端部にはフランジ（１１）が配置され、前記第１の端部は前記機器を受け入れるように配置されており、
前記フランジは、前記外側スリーブから外向きに延在し、前記開口部の周囲において前記構造の外面（２１）に当接するように適合されており、
前記外側スリーブは、前記外側スリーブの一部に沿って長手方向に延在している少なくとも１つの開孔（５）を有し、
前記内側スリーブは、前記調節リング、又は前記外側スリーブとねじ螺合するように配置されており、
前記調節リングは、前記外側スリーブ内の前記少なくとも１つの開孔を超えて前記調節リングの外向きに延在している少なくとも１つの固定翼（６）を備え、
前記固定翼は、前記開口部の周囲において前記構造の内面（２２）に当接するように適合された当接部（１６）を有し、
前記構造の厚さに対して調節するために、前記内側スリーブ及び前記外側スリーブの相対回転運動によって、前記調節リングが前記装置の長手方向に沿って移動可能である、取付装置。
【請求項２】
前記内側スリーブ（３）が外ねじ（７）を有し、前記調節リング（４）が前記外ねじとねじ螺合するように配置された内ねじ（８）を有する、請求項１に記載の取付装置。
【請求項３】
前記調節リング（４）が、前記内側スリーブ（３）の周囲、及び前記外側スリーブ（２）の内部に配置されている、請求項２に記載の取付装置。
【請求項４】
前記内側スリーブ（３）が外ねじ（７）を有し、前記外側スリーブが、前記外ねじとねじ螺合するように配置された内ねじを有する、請求項１に記載の取付装置。
【請求項５】
前記調節リングと前記内側スリーブが互いに相対的に回転することができるように、前記調節リング（４）が前記内側スリーブ（３）に装着されている、請求項４に記載の取付装置。
【請求項６】
前記開口部の中に挿入するために、前記固定翼（６）が前記装置（１）の長手軸に向かって折り畳まれることが可能である、請求項１から５のいずれか一項に記載の取付装置。
【請求項７】
前記外側スリーブ（２）は前記第２の端部（１０）において、各開孔（５）の端部にそれぞれの折り畳み部（１５）を備え、前記折り畳み部は、前記調節リング（４）が前記折り畳み部の内部で上に移動した時に、前記固定翼が折り畳まれるように配置されている、請求項６に記載の取付装置。
【請求項８】
各固定翼（６）が、前記調節リング（４）の上に少なくとも２つの軸方向に間隔を置いて配置された装着点（１７，１８）を有する、請求項１から７のいずれか一項に記載の取付装置。
【請求項９】
前記構造は天井（２０）又は壁である、請求項１から８のいずれか一項に記載の取付装置。
【請求項１０】
プラスチックでできている、請求項１から９のいずれか一項に記載の取付装置（１）。
【請求項１１】
構造（２０）内の開口部（１９）に機器（１２）を取り付ける方法であって、
取付装置（１）を前記開口部に挿入するステップであって、前記取付装置が、
外側スリーブ（２）と、
前記外側スリーブと螺合するように配置された内側スリーブ（３）と、
前記外側スリーブの内部に配置された調節リング（４）と
を備え、前記調節リングが、前記外側スリーブの長手方向に延在している開孔（５）を超えて前記調節リングから外向きに延在する少なくとも１つの固定翼（６）を備える、挿入するステップと、
前記外側スリーブの第１の端部（９）から半径方向に延在しているフランジ（１１）を、前記開口部の周囲で前記構造の外面（２１）に当接させるステップと、
前記外側スリーブと前記内側スリーブとを互いに相対的に回転させるステップであって、前記開口部の周囲にある前記構造の内面（２２）に前記固定翼が当接するようになるまで、前記調節リングが前記装置の長手方向に沿って移動する、回転ステップと、
前記機器を前記取付装置に配置するステップと
を含む方法。
【請求項１２】
前記取付装置が前記開口部（１９）に取り付けられた後で、前記機器（１２）が前記取付装置（１）に配置される、請求項１１に記載の方法。
【請求項１３】
前記取付装置を前記開口部（１９）に挿入することによって、前記取付装置（１）の長手軸に向かって前記固定翼（６）が折り畳まれる、請求項１１又は１２に記載の方法。
【請求項１４】
構造（２０）内の開口部（１９）に取り付けられた機器（１２）を取り外す方法であって、前記機器は取付装置（１）に配置されており、前記取付装置は、
外側スリーブ（２）と、
前記外側スリーブと螺合するように配置された内側スリーブ（３）と、
前記外側スリーブの内部に配置された調節リング（４）と
を備え、前記調節リングが、前記外側スリーブの長手方向に延在している開孔（５）を超えて前記調節リングから外向きに延在する少なくとも１つの固定翼（６）を備え、
前記方法は、
前記内側スリーブを前記外側スリーブへ押し込むステップであって、これにより、前記調節リングが折り畳み部（１５）の内部で上に移動した時に前記装置の長手軸に向かって前記固定翼が折り畳まれるように、前記固定翼が、前記外側スリーブの第２の端部（１０）において前記開孔の端部に配置された折り畳み部へ達するようになるまで、前記調節リングが前記外側スリーブに沿って移動する、押込みステップと、
前記取付装置を前記開口部から取り外すステップと
を含む方法。
【請求項１５】
前記外側スリーブ（２）と前記内側スリーブ（３）とを互いに相対的に回転させることにより、前記内側スリーブを前記外側スリーブへ押し込む前に、前記内側スリーブを前記外側スリーブの第１の端部（９）の外に移動させるステップを更に含む、請求項１４に記載の方法。
【発明の詳細な説明】
【技術分野】
【０００１】
本発明は、構造の開口部に機器を取り付けることに関する。
【背景技術】
【０００２】
構造の開口部に機器を取り付けることが望ましい状況が多々ある。例えば、スポットライト、拡声器、監視カメラなどは、天井又は壁に埋め込み式で取り付けられたりする。この種の取り付けでは、多くの場合、取付手順を簡単にするために、専用装置が使用される。また、ある種の取付装置は固定用の脚部の付いたカップ形状で構成されており、脚部はカップを貫通して延びるねじ上に配置されている。取付用開口部にカップを挿入する前に、固定用の脚部を内側から、カップの方へ回転させる。一旦、カップを開口部に挿入したら、ねじを操作して固定用脚部をカップから外側に回転させる。ねじの操作を続けることにより、固定用脚部がねじに沿って動いて、壁又は天井の厚みに適合するようになる。この種の取付装置は、開口部に取付けた機器を強固に保持することができるが、装置を所定位置に保持しながらねじを操作することは一般に容易でなかったりする。
【０００３】
ＥＰ２０４５５１２は、設置が容易な取付装置の具体例を記載している。開示されているホルダは、カップ状の形態である。カップの外側端部には、例えば天井などの外表面に接触するように配置されたフランジが設けられる。カップの内側端部には開口部が設けられていて、この開口部を通って、ばね付勢された複数の支持脚が外方向に延びている。このホルダを開口部に挿入するには、各支持脚を相手側に枢動して、複数の支持脚がカップの長手方向に延びるようにする。一旦、カップを開口部に挿入した後、支持脚を開放すれば、ばね力によって外側に枢動して天井の内表面に下げられ得る。こうして、ホルダは開口部に保持される。この種の取付装置は埋め込み式の取付けを簡単にするものの、状況によっては、製造コストの低い取付装置が有益になる場合もある。
【発明の概要】
【０００４】
本発明の目的は、構造内の開口部に機器を簡単に取り付けることができる取付装置を提供することである。
【０００５】
別の目的は、低価格で製造できる取付装置を提供することである。
【０００６】
更なる目的は、構造内の開口部に機器を取り付けるに際して、簡単に取り付けが実施される、方法を提供することである。
【０００７】
別の目的は、構造内の開口部から機器を実用的に取り外すことのできる方法を提供することである。
【０００８】
第１の態様において、これらの目的及び他の目的の全部ないし少なくとも一部を達成する、構造内の開口部に機器を取り付ける取付装置が提供される。この取付装置は、外側スリーブと、
前記外側スリーブの内部に配置された内側スリーブと、
前記外側スリーブの内部に配置された調節リングとを備え、
前記外側スリーブは、第１の端部と第２の端部とを有し、前記第１の端部にはフランジが配置され、前記第１の端部は前記機器を受け入れるように配置されており、
前記フランジは、前記外側スリーブから半径方向外向きに延在し、前記開口部の周囲において前記構造の外面に当接するように適合されており、
前記外側スリーブは、前記外側スリーブの一部に沿って長手方向に延在している少なくとも１つの開孔を有し、
前記内側スリーブは、前記調節リング、又は前記外側スリーブと螺合するように配置されており、
前記調節リングは、前記外側スリーブ内の前記少なくとも１つの開孔を通して前記調節リングから外向きに延在している少なくとも１つの固定翼を備え、
前記固定翼は、前記開口部の周囲において前記構造の内面に当接するように適合された当接部を有し、
前記構造の厚さを調節するために、前記内側及び外側スリーブの相対回転運動によって、前記調節リングが前記配置構成の長手方向に沿って移動可能である。上記装置により、ツールを必要とせずに、構造内の開口部に機器を簡単に取り付けることができる。
【０００９】
一実施形態によれば、内側スリーブは外ねじを有し、調節リングは、外ねじと螺合するように配置された内ねじを有する。調節手順の間中、内側スリーブは外側スリーブの第１の端部を通して簡単にアクセス可能であってよく、これにより内側スリーブが外側スリーブに対して好都合に回転することができる。調節リングが内側スリーブの外側で螺合するように配置されることで、調節リングを広範囲の構造厚さに対して調節することができ、機器は、内側スリーブを側スリーブに沿って長手方向に移動させずに構造に取付けられる。
【００１０】
調節リングは、内側スリーブ周囲、及び外側スリーブ内部に配置されうる。
【００１１】
別の実施形態によれば、内側スリーブは外ねじを有し、外側スリーブは、外ねじと螺合するように配置された内ねじを有する。
【００１２】
調節リングは、調節リングと内側スリーブが互いに相対的に回転することができるように、内側スリーブに取り付けられうる。これにより、内側スリーブが外側スリーブに対して回転することができ、その間調節リングは外側スリーブに対して回転しない。
【００１３】
固定翼は、開口部の中に挿入するための装置の長手軸に向かって折り畳み可能であってよい。このように、取付装置は、翼が折り畳まれていない位置において翼の半径方向の延長部が広すぎても、開口部に好都合に挿入することができる。
【００１４】
一実施形態では、第２の端部の外側スリーブは、各開孔の端部にそれぞれ折り畳み部を備え、前記折り畳み部は、調節リングが前記折り畳み部内部で上に上がった時に、固定翼を曲げるように配置されている。上記折り畳み部により、取付装置が開口部に装着された後に翼が曲がることが可能になり、取付装置を開口部から取り外すことができる。
【００１５】
各固定翼は、前記調節リング上に軸方向に間隔を置いた少なくとも２つの装着点を有しうる。これにより、固定翼にかかる負荷をより高くすることが可能になり、装置で取り付けられた機器を構造内の開口部にしっかり保持することができるようになる。
【００１６】
機器が取り付けられる構造は、天井又は壁であってよい。
【００１７】
取付装置は、プラスチックでできていてよい。かくして、取付装置はわずかな費用で製造することができる。
【００１８】
第２の態様において、上述した目的の全部または少なくとも一部は、構造内の開口部に機器を取り付ける方法によって達成される。この方法は、外側スリーブと、前記外側スリーブの内部に配置された内側スリーブと、前記外側スリーブの内部に配置された調節リングとを備える取付装置であって、少なくとも１つの固定翼が、前記調節リングから前記外側スリーブ内の長手方向に延在している開孔を超えて外向きに延在して設けられている、取付装置を挿入するステップと、前記外側スリーブの第１の端部から半径方向に延在しているフランジを、前記開口部の周囲で前記構造の外面に当接させるステップと、前記外側スリーブと内側スリーブとを互いに相対的に回転させるステップであって、これにより、前記開口部の周囲で前記構造の内面に前記固定翼が当接するまで、前記調節リングが前記装置の長手方向に沿って移動する、回転ステップと、前記機器を前記取付装置に配置するステップとを含む。この方法により、ツールがない場合であっても、構造内の開口部に機器を簡単に取り付けることが可能となる。
【００１９】
取付装置を開口部に取り付けた後で、機器を取付装置に配置することができる。このように、開口部に取り付けている際に、取付装置の内側スリーブ及び外側スリーブに簡単にアクセスすることができる。更に、取付装置に機器の重量がかからないうちに、取付装置を開口部にしっかりと固定することができる。
【００２０】
本方法の変形例では、取付装置を開口部に挿入する際に、取付装置の長手軸に向かって固定翼が折り畳まれる。このため、取付装置の径のサイズが簡単に縮小して、開口部への挿入が容易になる。
【００２１】
第３の態様において、上述した目的の全部ないし少なくとも一部は、構造内の開口部に取り付けられた機器を取り外す方法によって達成される。機器が配置される取付装置は、外側スリーブと、
外側スリーブの内部に配置された内側スリーブと、
外側スリーブの内部に配置された調節リングとを備えており、少なくとも１つの固定翼が前記調節リングから外側スリーブ内の長手方向に延在している開孔を超えて外向きに延在して設けられている。本方法は、内側スリーブを外側スリーブへ押し込むことにより、調節リングが折り畳み部内部で上に移動した際に装置の長手軸に向かって固定翼が折り畳まれるように、固定翼が、外側スリーブの第２の端部において開孔の端部に配置された折り畳み部へ達するまで、調節リングが外側スリーブに沿って移動する、押込みステップと、前記取付装置を前記開口部から取り外すステップとを含む。この方法を使用して、ツールを使用せず、また取付装置を壊すことなく、機器と取付装置を簡単に取り外すことができる。
【００２２】
本方法は更に、外側スリーブと内側スリーブを相互に回転させることにより、前記内側スリーブが前記外側スリーブの中へ押し込まれる前に、内側スリーブが外側スリーブの第１の端部から移動しうる。内側スリーブが外側スリーブの中に押し込まれ、調節リングの翼が折り畳み部の下に押し込まれ得る。
【００２３】
本発明の利用可能性の更なる範囲は、以下の詳細な説明から明らかになるであろう。しかしながら、この詳細な説明によって本発明の範囲内の様々な変更及び修正が当業者に明らかとなるため、詳細な説明及び具体例は、本発明の好適な実施形態を示しながらも単なる例として提示されることを理解されたい。
【００２４】
従って、記載の装置及び記載の方法は変形し得るため、この発明は記載の装置の特定の構成要素部品又は記載の方法のステップに限定されないことを理解されたい。本明細書で使用される用語は、特定の実施形態を説明する目的のためにすぎず、限定的であることを意図しないことを更に理解されたい。明細書及び添付の特許請求の範囲で使用されるように、冠詞（「ａ」、「ａｎ」、「ｔｈｅ」、及び「ｓａｉｄ」）は、文脈によって他のことが明らかに示されない限り、１つ又は複数の要素があることを意味していると意図されることに留意するべきである。それ故、例えば、「ａｎ  ｏｂｊｅｃｔ」又は「ｔｈｅ  ｏｂｊｅｃｔ」に対する言及は、幾つかのオブジェクト（ｏｂｊｅｃｔ）などを含み得る。更に、「ｃｏｍｐｒｉｓｉｎｇ（備える、含む）」という言葉は、他の要素又はステップを排除するものではない。
【００２５】
本発明を、実施例を用い、添付の概略図を参照しながら、詳細に説明する。
【図面の簡単な説明】
【００２６】
【図１】着取付装置の一実施形態の斜視図である。
【図２】取付装置に取り付けられた機器を有する図１の取付装置の側面図である。
【図３】図１の取付装置の分解図である。
【図４】調節中の、図１の取付装置の斜視図である。
【図５ａ】部分的に断面である、構造内の開口部に挿入されている取付装置の側面図である。
【図５ｂ】部分的に断面である、構造内の開口部に挿入されている取付装置の側面図である。
【図６】取付装置への機器の挿入を示す図である。
【図７ａ】取り外し中の、取付装置の斜視図である。
【図７ｂ】取り外し中の、取付装置の斜視図である。
【図７ｃ】取り外し中の、取付装置の斜視図である。
【図７ｄ】取り外し中の、取付装置の斜視図である。
【図７ｅ】取り外し中の、取付装置の斜視図である。
【発明を実施するための形態】
【００２７】
図１に、取付装置１の一実施形態を示す。図３の分解図でも見られるように、取付装置１は３つの主要な構成要素、すなわち外側スリーブ２、内側スリーブ３、及び調節リング４を有する。内側スリーブ３は外側スリーブ２内部に配置され、調節リング４は内側スリーブ３周囲の外側スリーブ２内部に配置される。外側スリーブ２は、外側スリーブ２に沿って長手方向に延在している３つの開孔５を有する。調節リング４は、外側スリーブ２の開孔５の内のそれぞれ１つを通って調節リング４からおおむね半径方向外向きにそれぞれ延在する３つの固定翼６を有する。固定翼６は概して、調節リング４の外周周囲に等間隔に配置される。内側スリーブ３は、調節リング内部で内ねじ８と螺合する外ねじ７が設けられている。内ねじ８は図１では見られないが、図３で見ることができる。
【００２８】
外側スリーブ２は、第１の端部９及び第２の端部１０を有する。第１の端部９において、フランジ１１は外側スリーブ２から半径方向外向きに延在する。
【００２９】
図２からわかりうるように、外側スリーブ２の第１の端部９は、取付装置１を使用して取り付けられるべき機器１２を受け入れるように配置されうる。この例では、機器は監視カメラ１２である。
【００３０】
内側スリーブ３にフランジ１３も設けられている図１を再び参照する。第１の端部９において、外側スリーブ２は、内側フランジ１３に対応する肩部１４を有する。肩部により、内側フランジ１３が肩部１４に当接するまでだけ、内側スリーブ３を外側スリーブ２の中に挿入することが可能になる。
【００３１】
第２の端部１０では、外側スリーブ２の各開孔５の端部に１つずつ、折り畳み部１５が設けられる。各折り畳み部は概して、外側スリーブ２の残り部分よりもわずかに大きな曲率半径を有する外側スリーブ２の壁部分からなる。従って、折り畳み部はそれぞれ、更に下に説明するように、それぞれの固定翼を収容しうる。
【００３２】
各固定翼６は、半径方向外側の端部に当接部１６を有する。更に、各固定翼６は、調節リング上に３つの取付箇所を有する。取付箇所は、２つの下方取付箇所１７と１つの上方取付箇所１８があるように、調節リング４の高さに沿って軸方向に間隔を置いて配置される。
【００３３】
ここで取付装置１を使用しての機器の取付けを、まず図４を参照しながら説明する。内側フランジ１３を用いて、内側スリーブ３を外側スリーブ２に対して回転させる。内側スリーブ３を回転させている間、外側スリーブ２を動かさずに保持する、又は外側スリーブ２を回転させている間、内側スリーブ３を動かさずに保持することが可能である、あるいは外側スリーブと内側スリーブの両方を反対方向に回転させることができる。内側スリーブには外ねじ７が設けられ、調節リング４には内ねじ８が設けられているため、また開孔５を通って延在している固定翼６により、調節リング４が外側スリーブ２に対して回転することが防止されるため、外側スリーブ２に対する内側スリーブ３の回転により、調節リング４が内側スリーブ３に沿って移動する。従って、取付装置１が取り付けられるべき構造の厚さに適合するために、外側フランジ１１と固定翼６の当接部１６との間の距離を調節することができる。
【００３４】
ここで図５ａを参照する。図５ａでは、取付装置１は、構造、この場合は天井２０の開口部１９に挿入されるようになっている。天井２０は厚さｄを有する。取付装置１を挿入する前に、外側フランジ１１と、固定翼６の当接部１６との間の距離が天井２０の厚さｄよりもわずかに広がるように、調節リング４を調節すべきである。取付装置１を開口部１９に挿入した時に、外側スリーブ２の第２の端部１０が開口部１９に導入され、取付装置１が次に開口部１９の中に押し込まれる。調節リング４の固定翼６は、取付装置１の長手軸に向かって、又は言い換えれば内側スリーブ３に向かって折り畳まれるように、フレキシブルである。こうして、図５ｂでもわかるように、固定翼６の半径方向の延長部は、外側スリーブ２のフランジ１１が天井２０の外面２１に当接するまで取付装置１が開口部１９の中へ更に挿入されうるように、縮小する。フランジ１１は、取付装置１が開口部１９の中に入りすぎるのを防止する。取付装置１が開口部１９の中でそこまで挿入されると、調節リング４の固定翼６が天井２０の内部に突出す。これにより、固定翼６が自由に屈曲して戻る。内側スリーブ３は次に外側スリーブ２に対してもう一回回転するが、回転方向に回転するため、調節リングが外側スリーブ２の第１の端部９に向かって戻るように移動し、これにより、外側フランジ１１と固定翼６の当接部１６との間の距離が天井２０の厚さｄとほぼ等しくなるまで縮小する。各固定翼６の当接部１６はこれにより、天井２０の内面２２に当接する。フランジ１１を天井の外面２１に当接させ、当接部１６を内面２２に当接させることにより、取付装置１が天井２０の開口部１９に維持される。３つの等間隔に配置された固定翼６を調節リング４上に持つことによって、開口部１９周囲に一定の当接力が簡単に得られ、取付装置が開口部内にまっすぐに保持されることが確実になる。固定翼６が調節リング上の異なる高さに装着点１７、１８を有するという事実により構造的安定性が加わり、固定翼６が調節リング上の１つの高さにのみ装着されている場合よりも高い負荷を担うことができるようになることに留意したい。
【００３５】
カメラ１２はここで、図６に示すように取付装置１に接続され、取付られうる。このため、カメラ１２は、少数の部品のみで構成された取付装置を使用し、取付けにいかなるツールも必要とせずに、凹部に簡単に取り付けることができる。
【００３６】
カメラ１２を取り外すことが必要となった場合、これもまた簡単に行うことができる。カメラ１２は、図６に示すものとは基本的に逆の操作で引き離され、取り外される。カメラ１２の検査又は修理のみが必要である場合、カメラ１２はその後簡単に再取付けすることができる。あるいは、カメラ１２を同じ、又は同様の型の別のカメラと交換することができる。しかしながら、必要であれば、取付装置１も取り外すことができる。図７ａに示すように、内側スリーブ３が外側スリーブ２の第１の端部９を通って外向きに移動するように、内側スリーブ３を外側スリーブ２に対して回転させる。調節リング４の固定翼６が天井２０内部で解放されており、天井の内面２２に対して当接しているため、調節リングは開口部１９内部に残る。内側スリーブ３が外側スリーブ２から取り外すことができるように、外ねじ７が調節リングの内ねじ８からはずれるまで、内側スリーブ３を回転させる（図７ｂ参照）。図７ｃに示すように、内側スリーブ３を次に外側スリーブ２に再挿入するが、この時は回転させない。図７ｄを参照すると、内側スリーブ３が外側スリーブ２に押し込まれ、最終的に調節リング４と接触し、外側スリーブ２の第２の端部に向かって調節リング４が押される。調節リング４はこれにより、開孔５の端部に向かって、折り畳み部１５の下に押される。固定翼６はこれにより、内側スリーブ３に向かって折り畳まれ、取付装置１の残り部分をここで図７ｅで示すように開口部１９から取り外すことができる。取付装置を開口部に挿入したのと同じ方法で、翼が簡単に折り畳まれ、取付装置の取り外し中、折り畳み部で翼が折り畳み位置に維持される。翼の構造安定性により、翼が間違った方向、すなわち上向きに曲がることが防止される。このため、取付装置１をいかなるツールも必要とせずに、また取付装置を壊したり、天井２０にダメージを与えたりすることなく、簡単に取り外すことができる。
【００３７】
当業者は上述の実施形態を多くの方法で修正し、かつ、上記の実施形態において示されている本発明の利点を依然として使用することが可能であると理解されるだろう。一例として、調節リングに内ねじを配置する代わりに、内側スリーブが外側スリーブと直接係合するように、内ねじを外側スリーブ内部に設けることができる。上記の場合、調節リングと内側スリーブが変更される。内側スリーブを短くしてリング又はナットのようにすることができ、上記の場合に必要な調節リングは内側スリーブ周囲に配置されないが、外側スリーブの長手方向に沿って内側スリーブと直列に配置されるように、回転可能に内側スリーブに接続されるべきである。これを達成するために、内側スリーブの端部の１つに円周溝を設けることができ、調節リングに対応する円周リブを設けることができる。調節リングのリブは、内側スリーブの溝に係合されうる。これにより、内側スリーブと調節リングを外側スリーブに挿入した時に、調節リングが内側スリーブの先になる又は内側スリーブの後になりうる。つまり、内側スリーブは、外側スリーブの中に移動する時に、調節リングを一緒に押す又は引っ張りうる。
【００３８】
あるいは、内側スリーブには各端部にねじ部が、そしてその間に非ねじ部が形成されていてよい。調節リングは、内側スリーブの非ねじ部周囲に配置されうる。このように、内側スリーブを外側スリーブに対して回転させたときに、内側スリーブが外側スリーブに沿って長手方向に移動し、調節リングを回転させずにそれと一緒に移動させるように、内側スリーブのねじ部を外側スリーブの内ねじと螺合させる。
【００３９】
上述したように、取付装置を取り外すためには、内側スリーブを外側スリーブからねじ式に外した後に、内側スリーブを押し込んで、固定翼を外側スリーブの折り畳み部の下に押し入れる。あるいは、固定翼が折り畳み部の下に押し入れられることにより折り畳まれるまで、調節リングが内向きに動くように内側スリーブを更に回転させることができる。
【００４０】
上述した例において、カメラが取り付けられる構造は天井、例えば釣天井である。しかしながら、構造は壁、下端、梁、又はカメラを取り付けるのに望ましい他の任意の構造であってよい。取付装置は、全種類のパネル形状の構造を取り付けるのに特に有用である。
【００４１】
カメラは監視カメラであってよく、例えば、可視光を利用するカメラ、ＩＲカメラ、又はサーマルカメラ又はＴＯＦカメラ等の任意の種類のカメラであってよい。
【００４２】
更に、上述した例ではカメラである機器を参照したが、機器は、構造の開口部に取り付けられるべき任意の種類の機器、例えばスポットライト、拡声器、又はＰＩＲセンサ等のアラームセンサであってよい。
【００４３】
取り付けられるべき機器は、取付装置が開口部に取り付けられる前、又は取り付けられた後に、取付装置に配置されうる。
【００４４】
取付装置の部品は、例えば鋳造によるプラスチックでできていてよい。例えば、調節リングはポリプロピレン（ＰＰ）でできていてよく、外側スリーブと内側スリーブは、ポリカーボネイト−ポリブチレンテレフタレート共重合体（ＰＣ／ＰＢＴ）でできていてよい。部品はすべて同じ材料でできていてよい、あるいは部品は異なる材料でできていてよい。プラスチック材料は、繊維又は挿入物で補強することができる。例えば金属等のその他の材料も使用可能である。
【００４５】
図示した実施形態では、図３の分解図で見られるように、調節リングの内ねじは連続的なものではなく、個々のセクションに分割されている。このセクション化は、鋳造プロセスを単純化することができるように、製造上の都合で行われる。しかしながら、別の製造プロセスが使用される場合、内ねじを連続的なものにしてもよい。
【００４６】
固定翼には、図に示したものよりも多い又は少ない装着点を調節リング上に形成してよい。
【００４７】
固定翼の折り畳みは他の方法、例えば折り畳み式カサと同様に配置する等で可能にすることもできる。固定翼に、一方向に折ることができるように鋳造ヒンジと、他方向に折れないようにする肩部を形成することもできる。あるいは、固定翼が解放された状態にある時に固定翼の２つの対応部分が水平方向に延びて、固定翼が折り畳まれる時に２つに折り畳まれるように、例えば調節リングの下方に２つの下方装着点を配置する等、折り畳みを可能にする薄い部分を固定翼に形成することができる。
【００４８】
上述した実施形態では、調節リングは３つの固定翼を有する。その他の数の固定翼を使用することができる。固定翼１つだけでも十分であり得るが、更に多くの固定翼を使用すれば、力の均等な分配が確保されるため、概してより簡単になる。各固定翼がそれ自体の開孔を通って延在するように、外側スリーブの開孔の数は、固定翼の数と同じであることが有利であり得る。そうでなければ、一又は複数の固定翼が同じ開孔を共有することもできる。
【００４９】
外側スリーブの第１の端部の全外周に連続的に延在している外側スリーブのフランジが図示されている。当業者は、フランジも、個々のフランジ部分に仕切ることができることを認識するだろう。外側フランジは、どちらかといえばアーム状の、最小限の２つのフランジ部分でできていてもよい。外側スリーブから半径方向外向きに延在しているフランジを記載しうるが、狭いフランジ部又はアームが使用される場合、これらは厳密に半径方向に延在している必要はなく、外側スリーブの接線方向であってよい。
【００５０】
図面において、調節リングは概して円形である。しかしながら、他の形状の調節リングも、それらが外側スリーブと内側スリーブの形状に十分適合している限り、使用可能である。例えば、調節リングが内側スリーブと螺合すべき場合、調節リングの内周は、内側スリーブの円形外側断面と一致するように円形であるべきだが、調節リングの外周は、外側スリーブ内部で動くことが可能である限り、八角形、又は他の多角形の形状等の別の形状を有しうる。更に、調節リングが内側スリーブと螺合すべきでない場合、内周も円形である必要はなく、他の任意の形状を付与しうる。同様に、外側スリーブと内側スリーブを概して円筒状で示したが、他の形状も付与しうる。
【００５１】
機器が取り付けられるべき開口部が機器と比べて広い場合、取付装置の外側スリーブの第１の端部に広いフランジが形成されうる。上記の場合、開口部に装置を挿入するために、必ずしも固定翼を折り畳み可能にする必要はない。代わりに、挿入中に固定翼が開口部を通過することができるようにするために、取付装置を傾けることができる。
【００５２】
従って、本発明は、図示した実施形態に限定されるべきではなく、添付の特許請求の範囲によってのみ限定されるべきである。
【図１】
0006294388.tif 000002
【図２】
0006294388.tif 000003
【図３】
0006294388.tif 000004
【図４】
0006294388.tif 000005
【図５ａ】
0006294388.tif 000006
【図５ｂ】
0006294388.tif 000007
【図６】
0006294388.tif 000008
【図７ａ】
0006294388.tif 000009
【図７ｂ】
0006294388.tif 000010
【図７ｃ】
0006294388.tif 000011
【図７ｄ】
0006294388.tif 000012
【図７ｅ】
0006294388.tif 000013